【手続補正書】
【提出日】平成24年7月30日(2012.7.30)
【手続補正１】
【補正対象書類名】特許請求の範囲
【補正対象項目名】全文
【補正方法】変更
【補正の内容】
【特許請求の範囲】
【請求項１】
出力部と制御部と記憶部とを少なくとも備えた情報処理装置であって、
上記記憶部は、
複数の縮尺の地図の地図データを記憶する地図データ記憶手段と、
各ＰＯＩを上記各縮尺で表示するか否かを示す表示可否情報を少なくとも含むＰＯＩ情報を記憶するＰＯＩ情報記憶手段と、
を備え、
上記制御部は、
表示対象の上記地図データを上記地図データ記憶手段から抽出する地図データ抽出手段と、
上記地図データ抽出手段により抽出された上記表示対象の上記地図データに基づく上記地図上の上記ＰＯＩの上記ＰＯＩ情報を、上記ＰＯＩ情報記憶手段から抽出するＰＯＩ情報抽出手段と、
上記地図データ抽出手段により抽出された上記地図データと、上記ＰＯＩ情報抽出手段により抽出された上記ＰＯＩ情報のうち、当該地図データの上記縮尺に基づく上記表示可否情報が表示可能である上記ＰＯＩ情報と、を少なくとも含む出力用情報を生成する出力用情報生成手段と、
上記出力用情報を上記出力部を介して出力させる情報出力手段と、
を備えたことを特徴とする、情報処理装置。
【請求項２】
請求項１に記載の情報処理装置において、
上記表示可否情報は、
上記各ＰＯＩを上記各縮尺で表示するか否かの指標となる優先度に基づいて設定された情報であることを特徴とする、情報処理装置。
【請求項３】
請求項２に記載の情報処理装置において、
上記優先度は、
上記ＰＯＩ情報の参照率に基づいて決定される上記情報であることを特徴とする、情報処理装置。
【請求項４】
請求項２に記載の情報処理装置において、
上記優先度は、
上記ＰＯＩ情報の充実度に基づいて決定される上記情報であることを特徴とする、情報処理装置。
【請求項５】
請求項２に記載の情報処理装置において、
上記優先度は、
上記ＰＯＩの施設規模に基づいて決定される上記情報であることを特徴とする、情報処理装置。
【請求項６】
請求項２に記載の情報処理装置において、
上記優先度は、
所定の評価関数に基づいて動的に決定される上記情報であることを特徴とする、情報処理装置。
【請求項７】
請求項２から６のいずれか一つに記載の情報処理装置において、
上記表示可否情報は、
所定エリア内における同一カテゴリの上記ＰＯＩの上記優先度に基づいて設定された情報であることを特徴とする、情報処理装置。
【請求項８】
制御部と記憶部とを少なくとも備えた情報処理装置、および、出力部と制御部とを少なくとも備えた端末装置、を通信可能に接続した情報処理システムであって、
上記情報処理装置の上記記憶部は、
複数の縮尺の地図の地図データを記憶する地図データ記憶手段と、
各ＰＯＩを上記各縮尺で表示するか否かを示す表示可否情報を少なくとも含むＰＯＩ情報を記憶するＰＯＩ情報記憶手段と、
を備え、
上記情報処理装置の上記制御部は、
表示対象の上記地図データを上記地図データ記憶手段から抽出する地図データ抽出手段と、
上記地図データ抽出手段により抽出された上記表示対象の上記地図データに基づく上記地図上の上記ＰＯＩの上記ＰＯＩ情報を、上記ＰＯＩ情報記憶手段から抽出するＰＯＩ情報抽出手段と、
上記地図データ抽出手段により抽出された上記地図データと、上記ＰＯＩ情報抽出手段により抽出された上記ＰＯＩ情報のうち、当該地図データの上記縮尺に基づく上記表示可否情報が表示可能である上記ＰＯＩ情報と、を少なくとも含む出力用情報を生成する出力用情報生成手段と、
上記出力用情報を上記端末装置に送信する出力用情報送信手段と、
を備え、
上記端末装置の上記制御部は、
上記情報処理装置から送信される上記出力用情報を受信する出力用情報受信手段と、
上記出力用情報受信手段により受信された上記出力用情報を上記出力部を介して出力させる情報出力手段と、
を備えたことを特徴とする、情報処理システム。
【請求項９】
出力部を少なくとも備えた端末装置に通信可能に接続された、制御部と記憶部とを少なくとも備えた情報処理装置であって、
上記記憶部は、
複数の縮尺の地図の地図データを記憶する地図データ記憶手段と、
各ＰＯＩを上記各縮尺で表示するか否かを示す表示可否情報を少なくとも含むＰＯＩ情報を記憶するＰＯＩ情報記憶手段と、
を備え、
上記制御部は、
表示対象の上記地図データを上記地図データ記憶手段から抽出する地図データ抽出手段と、
上記地図データ抽出手段により抽出された上記表示対象の上記地図データに基づく上記地図上の上記ＰＯＩの上記ＰＯＩ情報を、上記ＰＯＩ情報記憶手段から抽出するＰＯＩ情報抽出手段と、
上記地図データ抽出手段により抽出された上記地図データと、上記ＰＯＩ情報抽出手段により抽出された上記ＰＯＩ情報のうち、当該地図データの上記縮尺に基づく上記表示可否情報が表示可能である上記ＰＯＩ情報と、を少なくとも含む出力用情報を生成する出力用情報生成手段と、
上記出力用情報に基づく表示画面を生成する表示画面生成手段と、
上記表示画面を含む出力制御情報を上記端末装置へ送信することにより、当該端末装置の上記出力部を介して当該出力制御情報を出力させる出力制御手段と、
を備えたことを特徴とする、情報処理装置。
【請求項１０】
出力部と制御部と記憶部とを少なくとも備えた情報処理装置において実行される情報処理方法であって、
上記記憶部は、
複数の縮尺の地図の地図データを記憶する地図データ記憶手段と、
各ＰＯＩを上記各縮尺で表示するか否かを示す表示可否情報を少なくとも含むＰＯＩ情報を記憶するＰＯＩ情報記憶手段と、
を備え、
上記制御部において実行される、
表示対象の上記地図データを上記地図データ記憶手段から抽出する地図データ抽出ステップと、
上記地図データ抽出ステップにて抽出された上記表示対象の上記地図データに基づく上記地図上の上記ＰＯＩの上記ＰＯＩ情報を、上記ＰＯＩ情報記憶手段から抽出するＰＯＩ情報抽出ステップと、
上記地図データ抽出ステップにて抽出された上記地図データと、上記ＰＯＩ情報抽出ステップにて抽出された上記ＰＯＩ情報のうち、当該地図データの上記縮尺に基づく上記表示可否情報が表示可能である上記ＰＯＩ情報と、を少なくとも含む出力用情報を生成する出力用情報生成ステップと、
上記出力用情報を上記出力部を介して出力させる情報出力ステップと、
を含むことを特徴とする、情報処理方法。
【請求項１１】
制御部と記憶部とを少なくとも備えた情報処理装置、および、出力部と制御部とを少なくとも備えた端末装置、を通信可能に接続した情報処理システムにおいて実行される情報処理方法であって、
上記情報処理装置の上記記憶部は、
複数の縮尺の地図の地図データを記憶する地図データ記憶手段と、
各ＰＯＩを上記各縮尺で表示するか否かを示す表示可否情報を少なくとも含むＰＯＩ情報を記憶するＰＯＩ情報記憶手段と、
を備え、
上記情報処理装置の上記制御部において実行される、表示対象の上記地図データを上記地図データ記憶手段から抽出する地図データ抽出ステップと、
上記情報処理装置の上記制御部において実行される、上記地図データ抽出ステップにて抽出された上記表示対象の上記地図データに基づく上記地図上の上記ＰＯＩの上記ＰＯＩ情報を、上記ＰＯＩ情報記憶手段から抽出するＰＯＩ情報抽出ステップと、
上記情報処理装置の上記制御部において実行される、上記地図データ抽出ステップにて抽出された上記地図データと、上記ＰＯＩ情報抽出ステップにて抽出された上記ＰＯＩ情報のうち、当該地図データの上記縮尺に基づく上記表示可否情報が表示可能である上記ＰＯＩ情報と、を少なくとも含む出力用情報を生成する出力用情報生成ステップと、
上記情報処理装置の上記制御部において実行される、上記出力用情報を上記端末装置に送信する出力用情報送信ステップと、
上記端末装置の上記制御部において実行される、上記情報処理装置から送信される上記出力用情報を受信する出力用情報受信ステップと、
上記端末装置の上記制御部において実行される、上記出力用情報受信ステップにて受信された上記出力用情報を上記出力部を介して出力させる情報出力ステップと、
を含むことを特徴とする、情報処理方法。
【請求項１２】
出力部を少なくとも備えた端末装置に通信可能に接続された、制御部と記憶部とを少なくとも備えた情報処理装置において実行される情報処理方法であって、
上記記憶部は、
複数の縮尺の地図の地図データを記憶する地図データ記憶手段と、
各ＰＯＩを上記各縮尺で表示するか否かを示す表示可否情報を少なくとも含むＰＯＩ情報を記憶するＰＯＩ情報記憶手段と、
を備え、
上記制御部において実行される、
表示対象の上記地図データを上記地図データ記憶手段から抽出する地図データ抽出ステップと、
上記地図データ抽出ステップにて抽出された上記表示対象の上記地図データに基づく上記地図上の上記ＰＯＩの上記ＰＯＩ情報を、上記ＰＯＩ情報記憶手段から抽出するＰＯＩ情報抽出ステップと、
上記地図データ抽出ステップにて抽出された上記地図データと、上記ＰＯＩ情報抽出ステップにて抽出された上記ＰＯＩ情報のうち、当該地図データの上記縮尺に基づく上記表示可否情報が表示可能である上記ＰＯＩ情報と、を少なくとも含む出力用情報を生成する出力用情報生成ステップと、
上記出力用情報に基づく表示画面を生成する表示画面生成ステップと、
上記表示画面を含む出力制御情報を上記端末装置へ送信することにより、当該端末装置の上記出力部を介して当該出力制御情報を出力させる出力制御ステップと、
を含むことを特徴とする、情報処理方法。
【請求項１３】
出力部と制御部と記憶部とを少なくとも備えた情報処理装置に実行させるためのプログラムであって、
上記記憶部は、
複数の縮尺の地図の地図データを記憶する地図データ記憶手段と、
各ＰＯＩを上記各縮尺で表示するか否かを示す表示可否情報を少なくとも含むＰＯＩ情報を記憶するＰＯＩ情報記憶手段と、
を備え、
上記制御部において、
表示対象の上記地図データを上記地図データ記憶手段から抽出する地図データ抽出ステップと、
上記地図データ抽出ステップにて抽出された上記表示対象の上記地図データに基づく上記地図上の上記ＰＯＩの上記ＰＯＩ情報を、上記ＰＯＩ情報記憶手段から抽出するＰＯＩ情報抽出ステップと、
上記地図データ抽出ステップにて抽出された上記地図データと、上記ＰＯＩ情報抽出ステップにて抽出された上記ＰＯＩ情報のうち、当該地図データの上記縮尺に基づく上記表示可否情報が表示可能である上記ＰＯＩ情報と、を少なくとも含む出力用情報を生成する出力用情報生成ステップと、
上記出力用情報を上記出力部を介して出力させる情報出力ステップと、
を実行させるためのプログラム。
【請求項１４】
端末装置に通信可能に接続された、制御部と記憶部とを少なくとも備えた情報処理装置に実行させるためのプログラムであって、
上記記憶部は、
複数の縮尺の地図の地図データを記憶する地図データ記憶手段と、
各ＰＯＩを上記各縮尺で表示するか否かを示す表示可否情報を少なくとも含むＰＯＩ情報を記憶するＰＯＩ情報記憶手段と、
を備え、
上記制御部において、
表示対象の上記地図データを上記地図データ記憶手段から抽出する地図データ抽出ステップと、
上記地図データ抽出ステップにて抽出された上記表示対象の上記地図データに基づく上記地図上の上記ＰＯＩの上記ＰＯＩ情報を、上記ＰＯＩ情報記憶手段から抽出するＰＯＩ情報抽出ステップと、
上記地図データ抽出ステップにて抽出された上記地図データと、上記ＰＯＩ情報抽出ステップにて抽出された上記ＰＯＩ情報のうち、当該地図データの上記縮尺に基づく上記表示可否情報が表示可能である上記ＰＯＩ情報と、を少なくとも含む出力用情報を生成する出力用情報生成ステップと、
上記出力用情報を上記端末装置に送信する出力用情報送信ステップと、
を実行させるためのプログラム。
【請求項１５】
出力部を少なくとも備えた端末装置に通信可能に接続された、制御部と記憶部とを少なくとも備えた情報処理装置に実行させるためのプログラムであって、
上記記憶部は、
複数の縮尺の地図の地図データを記憶する地図データ記憶手段と、
各ＰＯＩを上記各縮尺で表示するか否かを示す表示可否情報を少なくとも含むＰＯＩ情報を記憶するＰＯＩ情報記憶手段と、
を備え、
上記制御部において、
表示対象の上記地図データを上記地図データ記憶手段から抽出する地図データ抽出ステップと、
上記地図データ抽出ステップにて抽出された上記表示対象の上記地図データに基づく上記地図上の上記ＰＯＩの上記ＰＯＩ情報を、上記ＰＯＩ情報記憶手段から抽出するＰＯＩ情報抽出ステップと、
上記地図データ抽出ステップにて抽出された上記地図データと、上記ＰＯＩ情報抽出ステップにて抽出された上記ＰＯＩ情報のうち、当該地図データの上記縮尺に基づく上記表示可否情報が表示可能である上記ＰＯＩ情報と、を少なくとも含む出力用情報を生成する出力用情報生成ステップと、
上記出力用情報に基づく表示画面を生成する表示画面生成ステップと、
上記表示画面を含む出力制御情報を上記端末装置へ送信することにより、当該端末装置の上記出力部を介して当該出力制御情報を出力させる出力制御ステップと、
を実行させるためのプログラム。
【手続補正２】
【補正対象書類名】明細書
【補正対象項目名】発明の名称
【補正方法】変更
【補正の内容】
【発明の名称】情報処理システム、情報処理装置、情報処理方法、および、プログラム
【手続補正３】
【補正対象書類名】明細書
【補正対象項目名】０００１
【補正方法】変更
【補正の内容】
【０００１】
本発明は、情報処理システム、情報処理装置、情報処理方法、および、プログラムに関する。